(57)【特許請求の範囲】
【請求項１】
所定の周期で極性を反転させた記録磁界を印加しつつ光磁気記録媒体に光ビームを照射し、記録マークを、第１極性及び第２極性の記録磁界に夫々前エッジ及び後エッジを対応せしめ、記録すべきデータに応じて所定位置から前記前エッジ及び後エッジまでの距離を各別に異ならせて形成してある光磁気記録媒体から前記データを再生する光磁気再生方法において、
再生時に、前記記録磁界の反転周期を検出し、第１極性と第２極性との反転のタイミングを前記記録磁界の反転のタイミングに同期せしめた再生磁界を前記光磁気記録媒体に印加し、前記記録マークを読出すことを特徴とする光磁気再生方法。
【請求項２】
所定の周期で極性を反転させた記録磁界を印加しつつ光磁気記録媒体に光ビームを照射し、記録マークを、第１極性及び第２極性の記録磁界に夫々前エッジ及び後エッジを対応せしめ、記録すべきデータに応じて所定位置から前記前エッジ及び後エッジまでの距離を各別に異ならせて形成してある光磁気記録媒体から前記データを再生する光磁気再生方法において、
再生時に、前記記録マークの前エッジと後エッジとで極性を異ならせるべく再生磁界を印加し、前記形成された記録マークを読出すことを特徴とする光磁気再生方法。
【請求項３】
前記記録磁界の第１極性の印加で形成された記録マークを読出す際に前記第１極性の再生磁界を印加し、前記記録磁界の第２極性の印加で形成された記録マークを読出す際に前記第２極性の再生磁界を印加する請求項１又は２記載の光磁気再生方法。
【請求項４】
前記記録磁界の第１極性の印加で記録された記録マークを読出す際に前記第２極性の再生磁界を印加し、前記記録磁界の第２極性の印加で記録された記録マークを読出す際に前記第１極性の再生磁界を印加する請求項１又は２記載の光磁気再生方法。
【請求項５】
光磁気記録媒体が有するプリピットから得られる基準クロックに基づいた周期で極性を反転させた記録磁界を磁気ヘッドにより印加しつつ、光磁気記録媒体に光ビームを照射し、記録すべきデータに対応せしめて所定位置からのシフト量を異ならせた記録マークが形成された光磁気記録媒体から前記データを再生する光磁気再生装置において、
光ビームを出射し、光磁気記録媒体が有するプリピット及び前記記録マークからの再生信号を得る光学ヘッドと、前記プリピットの再生信号から前記基準クロックを生成する回路と、該基準クロックに基づいて再生磁界の極性を反転するための磁界変調信号を生成する回路と、前記再生磁界を前記光磁気記録媒体に印加する磁気ヘッドと、前記記録マークの再生信号と所定のノコギリ波信号とが与えられて比較し、比較結果により前記記録マークのシフト量を検出して前記データを再生する回路とを備えることを特徴とする光磁気再生装置。
【請求項６】
光磁気記録媒体が有するプリピットから得られる基準クロックに基づいた周期で極性を反転させた記録磁界を磁気ヘッドにより印加しつつ、光磁気記録媒体に光ビームを照射することにより、記録すべきデータに対応せしめて所定位置からのシフト量を異ならせた記録マークを光磁気記録媒体に記録し、光磁気記録媒体の前記データを再生する光磁気記録再生装置であって、
光ビームを出射し、光磁気記録媒体が有するプリピット及び前記記録マークからの再生信号を得る光学ヘッドと、前記プリピットの再生信号から前記基準クロックを生成する回路と、該基準クロックに基づいて記録磁界及び再生磁界の極性を反転するための磁界変調信号を生成する回路と、記録時に、記録すべきデータに応じて光ビームの位相を前記光学ヘッドに指示する回路と、再生時に、前記光学ヘッドにより得られる前記記録マークの再生信号と所定のノコギリ波信号とを比較し、比較結果により前記記録マークのシフト量を検出して前記データを再生する回路とを備えることを特徴とする光磁気記録再生装置。
【発明の詳細な説明】
【０００１】
【発明の属する技術分野】
本発明は、光磁気記録媒体の再生方法及びその実施に使用する装置に関し、特に磁気超解像（Ｍａｇｎｅｔｉｃａｌｌｙ  Ｉｎｄｕｃｅｄ  Ｓｕｐｅｒ  Ｒｅｓｏｌｕｔｉｏｎ  ，ＭＳＲ）再生が可能な光磁気記録媒体の再生方法及び再生装置に関する。
【０００２】
【従来の技術】
光磁気ディスクは記録容量のさらなる増大化が要望されている。記録密度を増大させるためには媒体上にさらに多くの記録マークを形成することが必要であり、そのためには記録マーク長をレーザ光のスポット径よりも短くすると共に記録マーク間隔を詰める必要がある。光磁気記録／再生における記録マークの記録密度はディスクに照射される光ビームのスポット径によって制限される。スポット径以下の周期を有する微小な記録マークを形成するのは比較的簡単であるが、再生の際には光学系の分解能以上の微小な記録マークを再生することは困難であった。
【０００３】
そこで、光ビームのスポット内に生じる媒体の温度分布を利用し、スポット内の一部領域から記録マークを読出すことにより、スポット径を絞った場合と同等の効果を生ぜしめるＭＳＲ再生方式及びＭＳＲ媒体が、特開平１−１４３０４１号公報，特開平３−９３０５８  号公報等で提案されている。前者は、基板上に再生層、スイッチ層及び記録層を積層した多層構造の光磁気ディスクに再生磁界を印加しつつ光ビームを照射する光磁気再生方法である。再生時に、光磁気ディスクの回転によりビームスポット内には温度分布が生じ、高温領域と低温領域とが形成される。低温領域ではスイッチ層を介した記録層と再生層との交換結合力により、記録層の記録マークが再生層に転写されて読み出される。高温領域では記録層と再生層との交換結合力が切れるために再生層の磁化が再生磁界の方向に揃えられ、記録層の記録マークがマスクされる。これにより、スポット内の低温領域のみから記録マークが再生され（ＦＡＤ方式）、実質的にビームスポットを絞った場合と同様に再生分解能が向上する。
【０００４】
後者の特開平３−９３０５８  号公報で提案されているＭＳＲ媒体は、基板上に再生層、再生補助層、中間層及び記録層を積層した多層構造の光磁気ディスクに初期磁界及び再生磁界を印加しつつ光ビームを照射する光磁気再生方法である。再生時に、光磁気ディスクの回転によりビームスポットＳ内には温度分布が生じ、高温領域、低温領域及びその間の中間温度領域が形成される。低温領域では、再生層の磁化が初期化磁界の方向に揃えられて記録層の記録マークがマスクされ（フロントマスク）、高温領域では、再生層の磁化が再生磁界の方向に揃えられて記録層の記録マークがマスクされる（リアマスク）。中間温度領域においては記録層の記録マークが中間層及び再生補助層を介して再生層に転写され、これが読み出される（開口部）。これによりビームスポット内の中間温度領域のみから記録マークが再生され、実質的にビームスポットを絞った場合と同様に再生分解能が向上する（ＲＡＤダブルマスク方式）。
【０００５】
このような特開平３−９３０５８  号公報にて提案されたＭＳＲ再生方式では、初期化磁石により数ｋＯｅ程度の初期化磁界を光磁気ディスクに印加して再生層及び再生補助層の磁化を同方向に揃える必要があった。これは、低温領域において再生層と再生補助層との保磁力が中間層を介した記録層からの交換結合力よりも大きいためである。
【０００６】
本願出願人は、これを解決すべく、初期化磁石を用いることなく数百Ｏｅ程度の低い再生磁界を印加することによりＲＡＤダブルマスク方式でＭＳＲ再生が可能な光磁気媒体を特開平７−２４４８７７号公報にて提案している。図５は本願出願人提案によるＭＳＲ媒体の再生時の磁化状態を示す図であり、膜構成と共に示している。なお、図５（ａ）は記録マークの記録方向と逆方向の再生磁界を印加した場合の磁化状態を示し、図５（ｂ）は同方向の再生磁界を印加した場合の磁化状態を示している。何れも媒体の基板及び保護層等は省略している。
【０００７】
図５に示すように、光磁気ディスク１は基板（図示せず）上に再生層３３、中間層３４及び記録層３５をこの順に積層して構成されている。再生層３３は遷移金属磁化優勢膜であり、垂直方向即ち積層方向に磁化容易軸を有している。中間層３４は希土類磁化優勢膜であり、室温（１０℃〜３５℃）では面内方向に磁化容易軸を有しており、室温より高い所定温度以上になると磁化容易軸が面内方向から垂直方向に変化する。記録層３５は遷移金属磁化優勢膜であり、垂直方向に磁化容易軸を有している。
【０００８】
このような構成の光磁気ディスク１に記録マークを形成する際には、記録用磁界を印加しつつ、記録用レーザ光を照射する。上向きを記録方向として情報が記録された光磁気ディスク１の再生時の磁化状態を説明する。図５（ａ）に示すように、光磁気ディスク１に再生用レーザ光が照射され、照射領域に記録方向とは逆の下向きの再生磁界（マイナス磁界）が印加された場合は、レーザ光に対して前方側となる低温領域では中間層３４と記録層３５との交換結合力は弱く、中間層３４の磁化が再生磁界の方向即ち下方向に揃う。そして、中間層３４と再生層３３との交換結合力により再生層３３の磁化方向は上向きに揃って記録層３５の磁化方向をマスクするはたらきをする（フロントマスク）。また、高温領域は中間層３４のキュリー温度を越えた領域であり、中間層３４と再生層３３との交換結合力が切れている。これにより、再生層３３の磁化方向は再生磁界の下方向に揃い、記録層３５の磁化方向をマスクするはたらきをする（リアマスク）。低温領域と高温領域との間の中間温度領域では、中間層３４を介して記録層３５と再生層３３との交換結合力により、記録層３５の磁化方向が再生層３３に転写される（開口部）。
【０００９】
また、図５（ｂ）に示すように、光磁気ディスク１に再生用レーザ光が照射され、照射領域に図５（ａ）とは逆の上向きの再生磁界（プラス磁界）が印加された場合は、低温領域では中間層３４と記録層３５との交換結合力は弱く、中間層３４の磁化が再生磁界の方向即ち上方向に揃う。そして、中間層３４と再生層３３との交換結合力により再生層３３の磁化方向は下向きに揃って記録層３５の磁化方向をマスクするはたらきをする（フロントマスク）。また、高温領域は中間層３４のキュリー温度を越えた領域であり、中間層３４と再生層３３との交換結合力が切れている。これにより、再生層３３の磁化方向は再生磁界の上方向に揃い、記録層３５の磁化方向をマスクするはたらきをする（リアマスク）。低温領域と高温領域との間の中間温度領域では、中間層３４を介して記録層３５と再生層３３との交換結合力により、記録層３５の磁化方向が再生層３３に転写される（開口部）。このように本願出願人のＭＳＲ媒体では低温領域において中間層３４の磁化方向を数百Ｏｅの再生磁界の向きに揃えることができるので、数ｋＯｅのような大きな初期磁石を必要とせず、フロントマスクを形成することができる。
【００１０】
【発明が解決しようとする課題】
上述したようなビームスポットＳ内にマスクを形成するＭＳＲ媒体では、再生時に印加する磁界の向きによって、マスクのビームスポット内形成範囲が若干異なる。マスクの形成範囲が異なることにより、再生信号の波形（再生波形）の前後エッジの傾斜が異なる。図６は、光磁気ディスク１に形成された記録マークと、マイナス磁界及びプラス磁界の再生磁界を印加して得られた夫々の再生信号の波形を示す図である。磁化方向が記録方向である記録マークをハッチングで示している。
【００１１】
図６に示すように、ＭＳＲ媒体にマイナス磁界を印加して再生した場合は、再生波形は前エッジの傾斜が後エッジの傾斜に比べて緩やかであり、プラス磁界を印加した場合は、後エッジの傾斜が前エッジの傾斜に比べて緩やかであり、いずれの場合も再生波形が非線形性を有していることが判る。再生信号の前エッジがプラス磁界を印加した方が急峻になるのは、マイナス磁界を印加した場合には開口部の中間層３４の磁化の向きは記録方向の記録マークを読出す時点で再生磁界と同じ向きであり、プラス磁界を印加した場合は再生磁界と逆向きであるために（図５（ａ）及び図５（ｂ）参照）、フロントマスクがマイナス磁界を印加した場合よりもプラス磁界を印加した場合の方がビームスポットＳの中央に近い位置まで形成されるからである。また、再生信号の後エッジがマイナス磁界を印加した方が急峻になるのは、リアマスク領域の再生層３３の磁化の向きは、マイナス磁界を印加した場合には、記録マークを読出す時点で開口部の中間層３４の磁化の向きと同じ向きになり、プラス磁界を印加した場合には逆向きになるために（図５（ａ）及び図５（ｂ）参照）、リアマスクがマイナス磁界を印加した方がプラス磁界を印加した場合よりもビームスポットＳの中央に近い位置まで形成されるからと考えられる。
【００１２】
このような再生波形のエッジの傾斜はジッタに影響を与える。エッジの傾斜が緩やかなほどジッタは大きい。上述したように再生波形が非線形性を有する場合には、片側のエッジのジッタが大きく、再生特性に大きく影響を与えるという問題がある。また、記録密度が高くなるほど前エッジ及び後エッジの双方のジッタは大きくなり、ＭＳＲ媒体のような高記録密度媒体では、エッジが非対称な再生信号は著しく品質が劣化するという問題があった。
【００１３】
この問題を解決するために、本願出願人は得られた再生信号に基づいて再生波形のエッジのタイミングを検出し、エッジ検出後に再生磁界を反転する方法を提案している。この再生方法により、記録マークの前エッジの出力時にはプラス磁界を、後エッジの出力時にはマイナス磁界を印加することができ、再生波形の両エッジを対称に近づけることができる。しかしながら、信号処理回路での回路遅延及び磁界の反転に要する時間等を考慮すると、微小な記録マークが短いエッジ間隔で形成されている場合には、再生信号の検出結果に基づいた磁界変調では磁界の反転完了が次のエッジ再生までに間に合わない虞があるという問題があった。
【００１４】
本発明は、かかる事情に鑑みてなされたものであり、記録マークの前後エッジの存在範囲が予め決定されている光磁気記録媒体の再生時に、記録の際に印加した記録磁界の反転周期と同期して反転する再生磁界を印加することにより、記録マークの前エッジの出力時と後エッジの出力時とで異なる極性の再生磁界を確実に印加し、両エッジの傾斜を対称に近づけることにより高品質の再生信号を得ることができる光磁気再生方法及びその実施に使用する装置を提供することを目的とする。
【００１５】
【課題を解決するための手段】
第１発明に係る光磁気再生方法は、所定の周期で極性を反転させた記録磁界を印加しつつ光磁気記録媒体に光ビームを照射し、記録マークを、第１極性及び第２極性の記録磁界に夫々前エッジ及び後エッジを対応せしめ、記録すべきデータに応じて所定位置から前記前エッジ及び後エッジまでの距離を各別に異ならせて形成してある光磁気記録媒体から前記データを再生する光磁気再生方法において、再生時に、前記記録磁界の反転周期を検出し、第１極性と第２極性との反転のタイミングを前記記録磁界の反転のタイミングに同期せしめた再生磁界を前記光磁気記録媒体に印加し、前記記録マークを読出すことを特徴とする。
【００１６】
第２発明に係る光磁気再生方法は、所定の周期で極性を反転させた記録磁界を印加しつつ光磁気記録媒体に光ビームを照射し、記録マークを、第１極性及び第２極性の記録磁界に夫々前エッジ及び後エッジを対応せしめ、記録すべきデータに応じて所定位置から前記前エッジ及び後エッジまでの距離を各別に異ならせて形成してある光磁気記録媒体から前記データを再生する光磁気再生方法において、再生時に、前記記録マークの前エッジと後エッジとで極性を異ならせるべく再生磁界を印加し、前記形成された記録マークを読出すことを特徴とする。
【００１７】
第３発明に係る光磁気再生方法は、第１又は第２発明において、前記記録磁界の第１極性の印加で形成された記録マークを読出す際に前記第１極性の再生磁界を印加し、前記記録磁界の第２極性の印加で形成された記録マークを読出す際に前記第２極性の再生磁界を印加することを特徴とする。
【００１８】
第４発明に係る光磁気再生方法は、第１又は第２発明において、前記記録磁界の第１極性の印加で記録された記録マークを読出す際に前記第２極性の再生磁界を印加し、前記記録磁界の第２極性の印加で記録された記録マークを読出す際に前記第１極性の再生磁界を印加することを特徴とする。
【００１９】
図７は、公知の記録方法により形成される記録マーク及びその再生波形を示す説明図である。この方法を用いてデータが記録された光磁気記録媒体では、記録マークの前エッジ及び後エッジの形成可能な範囲がデータに関係なく決定されている。本発明の再生方法は、この記録方法によりデータが記録された光磁気記録媒体に適用される。まず記録の際に、図７に示すように、周期Ｔ／２で１反転される記録磁界を光磁気記録媒体に印加し、プラス磁界印加時及びマイナス磁界印加時に夫々一度ずつ所定パワーのレーザパルスを照射する。レーザパルスの照射のタイミングｔは、記録すべきデータに対応して決定される。図７では、ｔ０，ｔ１，ｔ２，及びｔ３の４段階のタイミンのいずれかに決定される場合を説明している。なお、記録磁界がプラス磁界の期間にレーザパルスを照射した場合は記録方向の記録マークが形成され、図ではこれをハッチングで示している。一方、マイナス磁界の期間にレーザパルスを照射した場合は消去方向の記録マークが形成される。
【００２０】
記録磁界がプラス磁界の場合に、レーザパルスの照射タイミングの基準を例えばｔ＝ｔ０としたとき、ｔ＝ｔ０で形成された記録マークの前エッジの位置を基準位置とすると、ｔ＝ｔ１，ｔ＝ｔ２，又はｔ＝ｔ３で形成された記録マーク（記録方向）の前エッジの位置は、基準位置から所定距離だけ夫々シフトして形成される。また、記録磁界がマイナス磁界に反転されたときに、レーザパルスをｔ＝ｔ０＋Ｔ／２，ｔ＝ｔ１＋Ｔ／２，ｔ＝ｔ２＋Ｔ／２，又はｔ＝ｔ３＋Ｔ／２のタイミングで照射した場合には、基準位置から所定距離だけ夫々シフトした位置に、記録方向の記録マークに重ね書きされた状態で記録マーク（消去方向）が形成される。この記録マークの前エッジは記録方向の記録マークの後エッジとなる。
【００２１】
このように、記録すべきデータに対応してレーザパルスの照射タイミングを異ならせ、記録マークの前後エッジの位置を基準位置からシフトさせて形成する。この記録方法は特開平６─７６３９９  号公報にて提案されている。
【００２２】
以上の如き方法によりデータが記録された光磁気記録媒体の再生信号の波形は、図７に示すように、記録マークのシフト量に関係なく前エッジ及び後エッジ夫々が期間Ｄの範囲内に存在する。このように、記録磁界のプラス磁界及びマイナス磁界の印加期間に、記録マークの前エッジ及び後エッジが夫々必ず形成されているので、記録の際に印加された記録磁界の極性の反転タイミングを検出する、即ち基準クロックを得ることにより、記録磁界の反転周期と同じタイミングで再生磁界の極性を反転して印加する。これにより、記録マークの前後エッジで、再生波形のエッジの傾斜を急峻にできる極性の再生磁界を印加でき、線形性を有する再生波形を得ることができる。
【００２３】
第５発明に係る光磁気再生装置は、光磁気記録媒体が有するプリピットから得られる基準クロックに基づいた周期で極性を反転させた記録磁界を磁気ヘッドにより印加しつつ、光磁気記録媒体に光ビームを照射し、記録すべきデータに対応せしめて所定位置からのシフト量を異ならせた記録マークが形成された光磁気記録媒体から前記データを再生する光磁気再生装置において、光ビームを出射し、光磁気記録媒体が有するプリピット及び前記記録マークからの再生信号を得る光学ヘッドと、前記プリピットの再生信号から前記基準クロックを生成する回路と、該基準クロックに基づいて再生磁界の極性を反転するための磁界変調信号を生成する回路と、前記再生磁界を前記光磁気記録媒体に印加する磁気ヘッドと、前記記録マークの再生信号と所定のノコギリ波信号とが与えられて比較し、比較結果により前記記録マークのシフト量を検出して前記データを再生する回路とを備えることを特徴とする。
【００２４】
第６発明に係る光磁気記録再生装置は、光磁気記録媒体が有するプリピットから得られる基準クロックに基づいた周期で極性を反転させた記録磁界を磁気ヘッドにより印加しつつ、光磁気記録媒体に光ビームを照射することにより、記録すべきデータに対応せしめて所定位置からのシフト量を異ならせた記録マークを光磁気記録媒体に記録し、光磁気記録媒体の前記データを再生する光磁気記録再生装置であって、光ビームを出射し、光磁気記録媒体が有するプリピット及び前記記録マークからの再生信号を得る光学ヘッドと、前記プリピットの再生信号から前記基準クロックを生成する回路と、該基準クロックに基づいて記録磁界及び再生磁界の極性を反転するための磁界変調信号を生成する回路と、記録時に、記録すべきデータに応じて光ビームの位相を前記光学ヘッドに指示する回路と、再生時に、前記光学ヘッドにより得られる前記記録マークの再生信号と所定のノコギリ波信号とを比較し、比較結果により前記記録マークのシフト量を検出して前記データを再生する回路とを備えることを特徴とする。
【００２５】
第５又は第６発明にあっては、プリピットを再生して基準クロックを生成し、該基準クロックに基づいて再生磁界を反転させるので、前記基準クロックに基づいて反転せしめた記録磁界と同じタイミングで再生磁界の極性を反転せしめることができる。
【００２８】
【発明の実施の形態】
以下、本発明をその実施の形態を示す図面に基づき具体的に説明する。
図１は本発明の記録再生装置の構成を示すブロック図である。図中１は光磁気ディスクであり、周方向に回転可能に装着されている。図２は光磁気ディスク１の膜構成図である。光磁気ディスク１はフォトポリマーガラス（２Ｐガラス）製の基板３１上にＳｉＮからなる厚さ７０ｎｍの下地層３２と、ＧｄＦｅＣｏからなる厚さ４０ｎｍの第１磁性層たる再生層３３，ＧｄＦｅからなる厚さ４０ｎｍの第２磁性層たる中間層３４，及びＴｂＦｅＣｏからなる厚さ５０ｎｍの第３磁性層たる記録層３５と、ＳｉＮからなる厚さ６０ｎｍの保護層３６とがこの順に積層して構成されている。これらの磁性層の積層はマグネトロンスパッタ法により行なわれる。
【００２９】
再生層３３は遷移金属磁化優勢膜であり、垂直方向即ち積層方向に磁化容易軸を有している。中間層３４は、キュリー温度まで補償温度が見られない希土類磁化優勢膜であり、室温では面内方向に磁化容易軸を有している。また室温より高い所定温度以上になるとその磁化容易軸は面内方向から垂直方向に変化する。記録層３５は遷移金属磁化優勢膜であり、垂直方向に磁化容易軸を有している。また、再生層３３，中間層３４及び記録層３５のキュリー温度を夫々Ｔｃ１，Ｔｃ２及びＴｃ３とした場合に、Ｔｃ２＜Ｔｃ１，Ｔｃ２＜Ｔｃ３の関係を満たしている。また、再生層３３及び記録層３５の室温における保磁力を夫々Ｈｃ１及びＨｃ３とした場合に、Ｈｃ３＞Ｈｃ１の関係を満たしている。光磁気ディスク１の膜構成は、本願出願人が特開平７−２４４８７７号公報にて提案しているＭＳＲ媒体と同様のものであり、その他の構成及び製造工程等の説明は省略する。
【００３０】
以上の如き構成の光磁気ディスク１の下方には、図１に示すように、レーザビームを出射するレーザ光源を備え、反射光を集光して再生信号を検出する光学ヘッド２が配されており、光磁気ディスク１の上方には、磁界を印加する磁気ヘッド３が配されている。光磁気ディスク１には凹凸ピットでプリピット情報が記録されており、光学ヘッド２により再生されたプリピット情報のＲＦ−ＳＵＭ信号が第１の増幅器２１に入力されて増幅され、第１の等化器２２、第１の整形器２３及びＰＬＬ（ｐｈａｓｅ  ｌｏｏｋｅｄ  ｌｏｏｐ  ）回路２４に入力されて順次信号処理され、ＰＬＬ回路２４から基準クロックが出力される。
【００３１】
基準クロックは記録データと共にレーザパルス位相調整回路６に入力され、データ記録時に、記録すべきデータに応じたレーザパルスが出力されるように、位相が調整されたパルス信号がレーザパルス位相調整回路６から光学ヘッド２に与えられる。また基準クロックは磁界変調信号生成回路５に入力され、磁界変調信号生成回路５は記録磁界及び再生磁界を変調するための磁界変調信号を基準クロックに基づいて生成し、磁気ヘッド駆動回路７に出力する。磁気ヘッド駆動回路７は、入力された磁界変調信号に基づいて磁気ヘッド３を駆動する。
【００３２】
また、光学ヘッド２により記録マークを再生して得られたＭＯ信号は、第２の増幅器４１に入力されて増幅され、第２の等化器４２及び第２の整形器４３に入力されて順次信号処理され、コンパレータ４４に出力される。コンパレータ４４にはＰＬＬ回路２４からの基準クロックが入力されてノコギリ波信号が生成されており、ＭＯ信号とノコギリ波信号とを比較する。この比較結果により再生データが出力される。
【００３３】
このような装置を用いて光磁気記録媒体にデータを記録し、これを再生する手順を説明する。図３は、この記録再生動作を説明するタイミングチャートである。まず、光磁気ディスク１が記録再生装置に装着され、光学ヘッド２によりプリピット情報が再生されてＲＦ−ＳＵＭ信号から基準クロックを得る。磁界変調信号生成回路５では基準クロックに基づいて磁界変調信号が生成され、周期Ｔ／２で正から負へ、又は負から正へ反転する記録磁界を光磁気ディスク１に印加する。一方、光学ヘッド２が備えるレーザ光源からはレーザ光が、レーザパルスの照射タイミングの４段階のうち、データに応じたいずれか１つのタイミングで照射され、記録マークが形成される。
【００３４】
レーザパルスの照射タイミングは、ｔ＝ｔ０を基準として、プラス磁界の際にｔ＝ｔ０，ｔ＝ｔ１，ｔ＝ｔ２，ｔ＝ｔ３、マイナス磁界の際にｔ＝ｔ０＋Ｔ／２，ｔ＝ｔ１＋Ｔ／２，ｔ＝ｔ２＋Ｔ／２，ｔ＝ｔ３＋Ｔ／２の夫々４段階のタイミングで調整される。本実施の形態では、記録磁界がプラス磁界の際にｔ＝ｔ１、記録磁界がマイナス磁界に反転した際にｔ＝ｔ２＋Ｔ／２、次のプラス磁界の際にｔ＝ｔ０で照射された場合を説明しているが、これに限るものではなく、照射タイミングも４段階に限るものではない。
【００３５】
このように形成された記録マークは、レーザパルスの照射タイミングがｔ＝ｔ０で形成された記録マークの前エッジの位置を基準位置とすると、ｔ＝ｔ１，ｔ＝ｔ２，又はｔ＝ｔ３で形成された記録マーク（記録方向）の前エッジの位置は、基準位置から所定距離だけ夫々シフトしている。また、記録磁界がマイナス磁界の場合に、レーザパルスの照射タイミングがｔ＝ｔ０＋Ｔ／２，ｔ＝ｔ１＋Ｔ／２，ｔ＝ｔ２＋Ｔ／２，又はｔ＝ｔ３＋Ｔ／２で形成された記録マーク（消去方向）の前エッジの位置は、基準位置から所定長さだけ夫々シフトしている。このとき、消去方向の記録マークの前エッジは記録方向の記録マークの後エッジとなる。
【００３６】
そして、この記録マークを再生する際には、まず光学ヘッド２により光磁気ディスク１のプリピット情報を再生してＲＦ−ＳＵＭ信号から基準クロックを得る。磁界変調信号生成回路５では基準クロックに基づいて磁界変調信号が生成され、周期Ｔ／２で正から負へ、又は負から正へ反転する再生磁界を光磁気ディスク１に印加する。このとき、再生磁界は基準クロックに基づいて変調されているので、記録時に印加した記録磁界と同タイミングで同方向に反転する。即ち、再生波形の前エッジではプラス磁界が、後エッジではマイナス磁界が必ず印加される。再生磁界が印加されつつ光学ヘッド２により再生用のレーザビームが照射されてＭＯ信号が検出され、信号処理されて２値化信号が得られる。コンパレータ４４には基準クロックに基づいたノコギリ波信号が生成されており、得られた２値化信号とノコギリ波信号とが比較された結果、基準位置からのシフト量が算出され、再生データが出力される。
【００３７】
このように、記録マークの前エッジ、即ち再生波形の前エッジは、記録磁界のプラス磁界印加期間内に必ず形成されており、後エッジはマイナス磁界の印加期間内に必ず形成されている。これにより、記録磁界と同周期で同方向に反転する再生磁界を印加することにより、信号処理回路の遅延及び磁界反転に要する時間等を考慮することなく、前エッジを再生する際にはプラス磁界を、後エッジを再生する際にはマイナス磁界を印加することができ、前後エッジが線形性を有する再生波形を得ることができる。
【００３８】
なお、上述した再生方法では、再生磁界の強度が零となる時点で、記録されたデータには存在しない位置に再生信号のエッジが検出される場合があるが、本発明で再生される記録マークは再生磁界が零の時点でエッジは存在しないので、その範囲で再生されたエッジはデータと無関係であるとして取り除くことができる。
【００３９】
また、上述した実施の形態では、再生磁界がプラス磁界の場合に再生波形の前エッジが急峻であり、マイナス磁界の場合に後エッジが急峻になるような膜構成の光磁気ディスクを例に挙げて説明しているが、これに限るものではない。例えば、再生磁界がプラス磁界の場合に再生波形の後エッジが急峻であり、マイナス磁界の場合に前エッジが急峻になるような膜構成の光磁気ディスクに本発明を適用するような場合は、以下に示すように記録磁界と逆極性の再生磁界を印加すれば良く、前後エッジが線形性を有する再生波形を得ることができる。
【００４０】
図４は、記録磁界と逆極性の再生磁界を印加する場合の記録再生動作を説明するタイミングチャートである。記録動作は上述した手順と同様に行なわれる。再生時に、光学ヘッド２により光磁気ディスク１のプリピット情報を再生してＲＦ−ＳＵＭ信号から基準クロックを得る。磁界変調信号生成回路５では極性が反転した（バー）基準クロックに基づいて、磁界変調信号が生成され、周期Ｔで正負が１回反転する再生磁界を光磁気ディスク１に印加する。このとき、再生磁界は（バー）基準クロックに基づいて変調されているので、記録時に印加した記録磁界と同タイミングで逆方向に反転する。即ち、再生波形の前エッジではマイナス磁界が、後エッジではプラス磁界が必ず印加される。ＭＯ信号が得られて再生データが出力されるまでの信号処理については上述した実施の形態と同様であり、説明を省略する。
【００４１】
また、図１に示した本実施の形態の光磁気記録再生装置は、記録機能及び再生機能を有しているが、これに限るものではなく、再生機能のみを有する光磁気再生装置であっても良い。データに応じて基準位置からのシフト量を異ならせた記録マークを形成した光磁気記録媒体を光磁気再生装置に装着し、プリピット情報の再生により基準クロックを検出して磁気変調信号を作成する。磁気変調信号に基づいて、記録時に印加された記録磁界と同タイミングで極性を反転させる再生磁界を印加しつつ再生用光ビームを照射することにより、前後エッジが線形性を有するジッタの小さい再生信号を得ることができる。
【００４２】
【発明の効果】
以上のように、本発明においては、記録マークの前後エッジの存在範囲が予め決定されている光磁気記録媒体を再生する際に、前後エッジ夫々に所望の極性、即ち再生波形のエッジが急峻となる極性の磁界を印加するので、両エッジの傾斜が対称に近づき、両エッジのジッタが共に小さい高品質の再生信号を得ることができる。また、ビームスポット径程度の記録マークが形成された通常の光磁気記録媒体と比較して再生波形のエッジの傾斜が急峻であるＭＳＲ媒体の再生波形の前後エッジを対称に近づけることができるので、良好な再生特性を有する高密度記録媒体の再生ができる等、本発明は優れた効果を奏する。
【図面の簡単な説明】
【図１】本発明の記録再生装置の構成を示すブロック図である。
【図２】本発明の実施に用いる光磁気ディスクの膜構成図である。
【図３】本発明の記録再生動作を説明するタイミングチャートである。
【図４】本発明の他の記録再生動作を説明するタイミングチャートである。
【図５】従来のＭＳＲ媒体の再生時の磁化状態を示す図である。
【図６】従来のＭＳＲ媒体の再生磁界の方向と再生波形を説明する図である。
【図７】公知の記録方法による記録マークの形成位置と再生波形とを説明する図である。
【符号の説明】
１  光磁気ディスク
２  光学ヘッド
３  磁気ヘッド
５  磁界変調信号生成回路
６  レーザパルス位相調整回路
７  磁気ヘッド駆動回路
２４  ＰＬＬ回路
３３  再生層
３４  中間層
３５  記録層
４４  コンパレータ
【図１】
0003551224.tif 000002
【図２】
0003551224.tif 000003
【図３】
0003551224.tif 000004
【図４】
0003551224.tif 000005
【図５】
0003551224.tif 000006
【図６】
0003551224.tif 000007
【図７】
0003551224.tif 000008